【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
アクセスポイントを介して通信する第１通信モードと、アクセスポイントを介さずに通信装置間で直接通信する第２通信モードでの通信が可能な通信装置であって、
利用可能なネットワークを確認する確認手段と、
前記第２通信モードによる通信により、他の通信装置から通信用パラメータの要求を受信する受信手段と、
前記受信手段により受信した前記要求に応じて、前記確認手段による確認に基づく通信用パラメータを前記他の通信装置に送信する送信手段と
を有することを特徴とする通信装置。
【請求項２】
前記送信手段は、
前記第１通信モードの通信用パラメータを送信する
ことを特徴とする請求項１に記載の通信装置。
【請求項３】
前記送信手段は、
前記第２通信モードの通信用パラメータを送信する
ことを特徴とする請求項１に記載の通信装置。
【請求項４】
前記第１通信モード及び前記第２通信モードの通信用パラメータを記憶する記憶手段
を更に有し、
前記送信手段は、
前記記憶手段に記憶している前記通信用パラメータを送信する
ことを特徴とする請求項１に記載の通信装置。
【請求項５】
前記送信手段は、
前記他の通信装置から指定されたネットワークに関する通信用パラメータを送信する
ことを特徴とする請求項１記載の通信装置。
【請求項６】
アクセスポイントを介して通信する第１通信モードと、アクセスポイントを介さずに通信装置間で直接通信する第２通信モードでの通信が可能な通信装置であって、
前記第２通信モードによる通信により、他の通信装置に対して通信用パラメータを要求する要求手段と、
前記要求手段による要求に応答して伝送される通信用パラメータを受信すると、当該受信した通信用パラメータを設定する設定手段と、
前記設定手段により設定した通信用パラメータによる通信が可能かを判断する判断手段と、
前記判断手段による判断に応じて、前記他の通信装置に対して通信用パラメータを再要求する再要求手段と
を有することを特徴とする通信装置。
【請求項７】
アクセスポイントを介して通信する第１通信モードと、アクセスポイントを介さずに通信装置間で直接通信する第２通信モードでの通信が可能な通信装置であって、
利用可能なネットワークを確認する確認手段と、
前記第２通信モードによる通信により、前記確認手段により確認したネットワークの通信用パラメータを他の通信装置に対して要求する要求手段と
を有することを特徴とする通信装置。
【請求項８】
前記要求手段による要求に応答して伝送される通信用パラメータを設定する設定手段
を更に有することを特徴とする請求項７記載の通信装置。
【請求項９】
前記要求手段による要求に応答し、前記第１通信モードの通信用パラメータを受信したか、前記第２通信モードの通信用パラメータを受信したかを判別する判別手段と、
前記判別手段による判別に基づいて、前記他の通信装置から受信した通信用パラメータを、前記第１通信モードの通信用パラメータ若しくは前記第２通信モードの通信用パラメータとして設定する設定手段と
を更に有することを特徴とする請求項７記載の通信装置。
【請求項１０】
第１通信モードと第２通信モードとにより異なる通信形態で通信が可能な通信装置であって、
利用可能なネットワークを確認する確認手段と、
前記第２通信モードによる通信により、他の通信装置から通信用パラメータの要求を受信する受信手段と、
前記受信手段により受信した前記要求に応じて、前記確認手段による確認に基づく通信用パラメータを前記他の通信装置に送信する送信手段と
を有することを特徴とする通信装置。
【請求項１１】
第１通信モードと第２通信モードとにより異なる通信形態で通信が可能な通信装置であって、
前記第２通信モードによる通信により、他の通信装置に対して通信用パラメータを要求する要求手段と、
前記要求手段による要求に応答して伝送される通信用パラメータを受信すると、当該受信した通信用パラメータを設定する設定手段と、
前記設定手段により設定した通信用パラメータによる通信が可能かを判断する判断手段と、
前記判断手段による判断に応じて、前記他の通信装置に対して通信用パラメータを再要求する再要求手段と
を有することを特徴とする通信装置。
【請求項１２】
第１通信モードと第２通信モードとにより異なる通信形態で通信が可能な通信装置であって、
存在するネットワークを確認する確認手段と、
前記第２通信モードによる通信により、前記確認手段により確認したネットワークの通信パラメータを他の通信装置に対して要求する要求手段と
を有することを特徴とする通信装置。
【請求項１３】
第１通信モードと第２通信モードとにより異なる通信形態で通信が可能な通信装置の通信用パラメータの設定方法であって、
利用可能なネットワークを確認する確認工程と、
前記第２通信モードによる通信により、他の通信装置から通信用パラメータの要求を受信する受信工程と、
前記受信工程において受信した前記要求に応じて、前記確認工程における確認に基づく通信用パラメータを前記他の通信装置に送信する送信工程と
を有することを特徴とする設定方法。
【請求項１４】
第１通信モードと第２通信モードとにより異なる通信形態で通信が可能な通信装置の通信用パラメータの設定方法であって、
前記第２通信モードによる通信により、他の通信装置に対して通信用パラメータを要求する要求工程と、
前記要求工程における要求に応答して伝送される通信用パラメータを受信すると、当該受信した通信用パラメータを設定する設定工程と、
前記設定工程において設定した通信用パラメータによる通信が可能かを判断する判断工程と、
前記判断工程における判断に応じて、前記他の通信装置に対して通信用パラメータを再要求する再要求工程と
を有することを特徴とする設定方法。
【請求項１５】
第１通信モードと第２通信モードとにより異なる通信形態で通信が可能な通信装置の通信用パラメータの設定方法であって、
存在するネットワークを確認する確認工程と、
前記第２通信モードによる通信により、前記確認工程において確認したネットワークの通信用パラメータを他の通信装置に対して要求する要求工程と
を有することを特徴とする設定方法。
【請求項１６】
請求項１３から１５のいずれか１項に記載の設定方法をコンピュータに実行させるためのプログラム。
【手続補正２】
【補正対象書類名】明細書
【補正対象項目名】発明の名称
【補正方法】変更
【補正の内容】
【発明の名称】通信装置及びその通信用パラメータの設定方法
【手続補正３】
【補正対象書類名】明細書
【補正対象項目名】０００１
【補正方法】変更
【補正の内容】
【０００１】
本発明は、通信装置間でネットワークの通信パラメータを設定する技術に関するものである。
【手続補正４】
【補正対象書類名】明細書
【補正対象項目名】０００７
【補正方法】変更
【補正の内容】
【０００７】
また本願発明の特徴は、ネットワークに追加された通信装置に利用可能な通信パラメータを容易に設定できる通信装置及びその通信用パラメータの設定方法を提供することにある。
【手続補正５】
【補正対象書類名】明細書
【補正対象項目名】０００９
【補正方法】変更
【補正の内容】
【０００９】
本発明の一態様に係る通信装置は以下のような構成を備える。即ち、
アクセスポイントを介して通信する第１通信モードと、アクセスポイントを介さずに通信装置間で直接通信する第２通信モードでの通信が可能な通信装置であって、
利用可能なネットワークを確認する確認手段と、
前記第２通信モードによる通信により、他の通信装置から通信用パラメータの要求を受信する受信手段と、
前記受信手段により受信した前記要求に応じて、前記確認手段による確認に基づく通信用パラメータを前記他の通信装置に送信する送信手段と
を有することを特徴とする。
【手続補正６】
【補正対象書類名】明細書
【補正対象項目名】００１０
【補正方法】変更
【補正の内容】
【００１０】
本発明の一態様に係る通信装置の通信用パラメータの設定方法は以下のような工程を備える。即ち、
第１通信モードと第２通信モードとにより異なる通信形態で通信が可能な通信装置の通信用パラメータの設定方法であって、
利用可能なネットワークを確認する確認工程と、
前記第２通信モードによる通信により、他の通信装置から通信用パラメータの要求を受信する受信工程と、
前記受信工程において受信した前記要求に応じて、前記確認工程における確認に基づく通信用パラメータを前記他の通信装置に送信する送信工程と
を有することを特徴とする。
【手続補正７】
【補正対象書類名】明細書
【補正対象項目名】００１２
【補正方法】変更
【補正の内容】
【００１２】
本発明によれば、ネットワークに追加された通信装置に利用可能な通信パラメータを容易に設定できるという効果がある。